(57)【要約】【課題】タイムシフト再生中にデータ欠損が生じて録画できなかった部分に対応する代替データを、欠損した位置を再生するまでに取得することができる放送受信装置及び記録再生方法を提供する。【解決手段】欠損データ取得部１７が、放送データの欠損した位置を監視すると共に、放送データが欠損した位置を検知した場合に、その欠損位置を再生するまでに、現時点の再生位置、放送データの欠損位置及び代替データの情報に基づいて決定された代替データを取得する。これにより、タイムシフト再生中にデータ欠損が生じて録画できなかった部分を、その再生開始までに取得することができ、取得した代替データを欠損位置に割り当てることで欠損位置での再生が可能となる。【選択図】図１
2009232315.tif 000002
【特許請求の範囲】
【請求項１】
放送データを受信する受信手段と、
前記放送データを記録する記録手段と、
前記記録手段に記録中の前記放送データを読み出して再生する再生手段と、を備えた放送受信装置であって、
前記放送データの欠損した位置を監視する監視手段と、
前記放送データに対応付けられた代替データの情報を取得する代替データ情報取得手段と、
前記再生手段が前記欠損した位置を再生するまでに、前記再生手段の再生位置、前記欠損した位置及び前記代替データの情報に基づいて決定された前記代替データを取得する取得手段と、
を有する放送受信装置。
【請求項２】
前記監視手段は、前記受信手段で受信した前記放送データに欠損が有るか否かを判定し、欠損した位置を特定する請求項１に記載の放送受信装置。
【請求項３】
前記代替データは、前記放送データより低いレートを有している請求項１又は請求項２に記載の放送受信装置。
【請求項４】
前記代替データの情報は、前記代替データのレート、データ量の情報を含む請求項１乃至請求項３のいずれかに記載の放送受信装置。
【請求項５】
前記再生位置が前記放送データの欠損した位置に到達する到達時間を予測する予測手段を更に有する請求項１乃至請求項４のいずれかに記載の放送受信装置。
【請求項６】
前記予測手段は、前記再生手段の再生速度に基づき前記到達時間を予測する請求項５に記載の放送受信装置。
【請求項７】
前記予測手段は、所定の条件に相当する期間をスキップして前記到達時間を予測する請求項５又は請求項６に記載の放送受信装置。
【請求項８】
取得した前記代替データのフォーマットを時間情報と対にして記憶するフォーマット記憶手段を更に有する請求項１乃至請求項７のいずれかに記載の放送受信装置。
【請求項９】
前記再生手段は、前記フォーマット記憶手段の記憶内容に従って再生方式を切り替えて前記代替データを再生する請求項８に記載の放送受信装置。
【請求項１０】
放送データを受信する受信工程と、
前記放送データを記録する記録工程と、
前記記録工程で記録中の前記放送データを読み出して再生する再生工程と、を備えた記録再生方法であって、
前記放送データの欠損した位置を監視する監視工程と、
前記放送データに対応付けられた代替データの情報を取得する代替データ情報取得工程と、
前記再生工程で前記欠損した位置を再生するまでに、前記再生工程での再生位置、前記欠損した位置及び前記代替データの情報に基づいて決定された前記代替データを取得する取得工程と、
を有する記録再生方法。
【発明の詳細な説明】
【技術分野】
【０００１】
本発明は、放送データを受信して記録・再生する放送受信装置及び記録再生方法に関する。
【背景技術】
【０００２】
従来、ＤＶＤレコーダ等の録画装置をはじめとする放送データを受信して記録する放送受信装置には、放送データの記録中に受信状態が悪化したときにデータの記録を停止すると共に、記録できなかったデータを他の放送データで補充する機能を有するものがある（例えば、特許文献１参照）。
【０００３】
【特許文献１】特開２００６−２２９７９４号公報
【発明の開示】
【発明が解決しようとする課題】
【０００４】
しかしながら、従来の放送受信装置は、タイムシフト再生（所謂“追っかけ再生”）を行っているときのデータ補充についてまでは考慮されていないため、タイムシフト再生中にネットワーク等からデータを補充するようにしたとしても、欠損データ発生箇所の開始時までに補充データの取得が間に合わなくなる虞がある。ここで、タイムシフト再生とは、受信中の放送データの録画と再生を同時に行う機能のことである。
【０００５】
本発明は、かかる事情に鑑みてなされたものであり、タイムシフト再生中にデータ欠損が生じて録画できなかった部分に対応する代替データを、欠損した位置を再生するまでに取得することができる放送受信装置及び記録再生方法を提供することを目的とする。
【課題を解決するための手段】
【０００６】
本発明の放送受信装置は、放送データを受信する受信手段と、前記放送データを記録する記録手段と、前記記録手段に記録中の前記放送データを読み出して再生する再生手段と、を備えた放送受信装置であって、前記放送データの欠損した位置を監視する監視手段と、前記放送データに対応付けられた代替データの情報を取得する代替データ情報取得手段と、前記再生手段が前記欠損した位置を再生するまでに、前記再生手段の再生位置、前記欠損した位置及び前記代替データの情報に基づいて決定された前記代替データを取得する取得手段と、を有する。
【０００７】
上記構成によれば、放送データの欠損した位置を監視すると共に、放送データが欠損した位置を検知した場合に、その欠損位置を再生するまでに、現時点の再生位置、放送データの欠損位置及び代替データの情報に基づいて決定された代替データを取得する。したがって、タイムシフト再生中にデータ欠損が生じて録画できなかった部分を、その再生開始までに取得することができ、取得した代替データを欠損位置に割り当てることで欠損位置での再生が可能となる。
【０００８】
また、上記構成において、前記監視手段は、前記受信手段で受信した前記放送データに欠損が有るか否かを判定し、欠損した位置を特定する。
【０００９】
上記構成によれば、欠損した放送データの位置を特定することができる。
【００１０】
また、上記構成において、前記代替データは、前記放送データより低いレートを有している。
【００１１】
上記構成によれば、現在の再生位置と放送データの欠損位置との差に応じたレートの代替データを取得することができる。
【００１２】
また、上記構成において、前記代替データの情報は、前記代替データのレート、データ量の情報を含む。
【００１３】
上記構成によれば、代替データのレート、データ量の情報により、最適な代替データを取得することができる。
【００１４】
また、上記構成において、前記再生位置が前記放送データの欠損した位置に到達する到達時間を予測する予測手段を更に有する。
【００１５】
上記構成によれば、再生位置が欠損位置に到達する到達時間を予測するので、最適な代替データを取得することができる。
【００１６】
また、上記構成において、前記予測手段は、前記再生手段の再生速度に基づき前記到達時間を予測する。
【００１７】
上記構成によれば、再生速度に基づいて到達時間を予測することができる。
【００１８】
また、上記構成において、前記予測手段は、所定の条件に相当する期間をスキップして前記到達時間を予測する。
【００１９】
上記構成によれば、所定の条件（コマーシャルなど）に合致する期間をスキップして到達時間を予測することができる。
【００２０】
また、上記構成において、取得した前記代替データのフォーマットを時間情報と対にして記憶するフォーマット記憶手段を更に有する。
【００２１】
上記構成によれば、取得した代替データのフォーマットを記憶することができる。
【００２２】
また、上記構成において、前記再生手段は、前記フォーマット記憶手段の記憶内容に従って再生方式を切り替えて前記代替データを再生する。
【００２３】
上記構成によれば、フォーマット記憶手段に記憶されたフォーマットに従って再生方式を切替えて代替データを再生することができる。
【００２４】
本発明の記録再生方法は、放送データを受信する受信工程と、前記放送データを記録する記録工程と、前記記録工程で記録中の前記放送データを読み出して再生する再生工程と、を備えた記録再生方法であって、前記放送データの欠損した位置を監視する監視工程と、前記放送データに対応付けられた代替データの情報を取得する代替データ情報取得工程と、前記再生工程で前記欠損した位置を再生するまでに、前記再生工程での再生位置、前記欠損した位置及び前記代替データの情報に基づいて決定された前記代替データを取得する取得工程と、を有する。
【００２５】
上記方法によれば、放送データの欠損した位置を監視すると共に、放送データが欠損した位置を検知した場合に、その欠損位置を再生するまでに、現時点の再生位置、放送データの欠損位置及び代替データの情報に基づいて決定された代替データを取得する。したがって、タイムシフト再生中にデータ欠損が生じて録画できなかった部分を、その再生開始までに取得することができ、取得した代替データを欠損位置に割り当てることで欠損位置での再生が可能となる。
【発明の効果】
【００２６】
本発明によれば、タイムシフト再生中にデータ欠損が生じて録画できなかった部分に対応する代替データを、欠損した位置を再生するまでに取得することができる。
【発明を実施するための最良の形態】
【００２７】
以下、本発明を実施するための好適な実施の形態について、図面を参照して詳細に説明する。
【００２８】
図１は、本発明の一実施の形態に係る携帯端末の概略構成を示すブロック図である。同図において、本実施の形態の携帯端末１は、ワンセグ放送（地上デジタルテレビ放送の移動体向けの放送サービス）を受信して記録再生可能な放送受信装置に相当するものであり、放送アンテナ１０、チューナ部１１、多重化分離部１２、入力装置１３、通信処理部１４、通信アンテナ１５、タイマ部１６、欠損データ取得部１７、欠損データ記憶メモリ１８、録画データ再生処理部１９、録画処理部２０、録画記憶装置２１、映像処理部２２、ディスプレイ２３、音声処理部２４、スピーカ２５及び制御部２６を有する。
【００２９】
チューナ部１１は、放送アンテナ１０を介して受信したチャンネルの信号を中間周波信号（ＩＦ信号）に変換し、更にＩＦ信号からデジタル信号（ＴＳ：トランスポートストリーム）を取り出して出力する。多重化分離部１２は、チューナ部１１から出力されたＴＳから必要なデータを抜き出す。入力装置１３は、操作キーなどの携帯端末１を操作するための各種信号を入力する。通信処理部１４は、ネットワーク網６０にアクセスして外部機器（例えば後述する録画再生装置３０、コンテンツサーバ５０）との間で双方向通信を行う。なお、ネットワーク網はｉモード（登録商標）などの専用ネットワーク網や、無線ＬＡＮやインターネットなどを含む汎用ネットワーク網など、どのような形態でも構わない。なお、通信手段は、携帯電話固有の通信手法や無線ＬＡＮ、有線ＬＡＮ、赤外線やブルートゥース等を用いても良く、無線による通信手法を用いる場合、通信処理部１４は無線機能を有する。通信アンテナ１５は通信処理部１４で使用されるアンテナである。タイマ部１６は、時間の管理に使用されるものであり、制御部２６に時間情報を入力する。
【００３０】
欠損データ取得部１７は、録画データ再生処理部１９が欠損した位置を再生するまでに、録画データ再生処理部１９の再生位置、データが欠損した位置及び代替データの情報に基づいて決定された代替データを取得する。なお、携帯端末１においては、主に圏外となったときにデータの欠損が生ずる。欠損データ取得部１７の詳細な構成は後述する。欠損データ記憶メモリ１８は、何処から何処までデータが欠損したかを記録する。なお、欠損データ記録メモリ１８を録画記憶装置２１に設けても良い。
【００３１】
録画データ再生処理部１９は、録画記憶装置２１に記憶された放送データの再生処理を行う。また、データに欠損が生じて、欠損データ取得部１７で代替データが取得された場合、データの再生中にデータ欠損位置に至るまでに代替データを再生して補完する。代替データは、データ欠損が生じた数分だけ有り、録画データ再生処理部１９は、データの再生中にデータ欠損位置に至るまでにその欠損位置にて補完された代替データを再生する。
【００３２】
録画処理部２０は、データを録画するための処理を行う。録画記憶装置２１は、ハードディスク等の大容量記憶装置を有し、データを記憶する。映像処理部２２は、録画データ再生処理部１９で再生された映像データをディスプレイ２３に入力可能な映像信号に変換する。音声処理部２４は、録画データ再生処理部１９で再生された音声データをスピーカ２５に入力可能なアナログの音声信号に変換する。制御部２６は、主にマイクロコンピュータで構成され、携帯端末１の各部を制御する。
【００３３】
図２は、欠損データ取得部１７の概略構成を示すブロック図である。同図において、欠損データ取得部１７は、通信レート検知部１７１、代替データ情報取得部１７２、放送レート検知部１７３、映像レート検知部１７４、音声レート検知部１７５、欠損データ監視部１７６、タイムシフト再生追いつき時間予測部１７７、取得代替データ種別判断部１７８、代替データ取得部１７９、代替データマージ部１８０、代替データフォーマット記録テーブル１８１及び代替データ情報記録部１８２を有する。
【００３４】
通信レート検知部１７１は、現在の通信レートを検知する。代替データ情報取得部１７２は、代替データのフォーマット、データ量などを取得する。放送レート検知部１７３は、現在録画しているデータの放送レートを検知する。映像レート検知部１７４は、現在再生している映像レートを検知する。音声レート検知部１７５は、現在再生している音声レートを検知する。
【００３５】
欠損データ監視部１７６は、データの何処が欠損したかを監視する。タイムシフト再生追いつき時間予測部１７７は、タイムシフト再生が欠損位置まであと何秒で追いつくかを予測する。すなわち、放送データの欠損位置と現在の再生位置との差と再生速度により追いつき時間を予測する。なお、追いつき時間を予測する際に、圏外発生頻度、自動スキップ時間、ユーザによる再生スキップ頻度を考慮することも可能である。取得代替データ種別判断部１７８は、“音声のみ”、“映像のみ”、“映像及び音声”、“映像、音声及びデータ放送”、“放送データ”の各代替データの種別を判断する。なお代替データは、各種別ごとに、圧縮方式や圧縮レートを変更するなどして、更に細分化してもよい。例えば、“映像のみ”の場合、圧縮方式としてＭＰＥＧ−２とＨ．２６４とを用意しておいたり、更に圧縮レートを上げたものを用意しておいてもよい。その場合はデータ種別として圧縮方式や圧縮レートが追加される。以降、代替データに“音声データのみ”、映像データ及び音声データ”、“映像データ、音声データ及びデータ放送”、“放送データ”を用いた場合を例に説明を行うが、上記のように本種別を更に細分化し圧縮方式や圧縮レートを追加してもよい。
【００３６】
代替データ取得部１７９は、前述した代替データを取得する。代替データマージ部１８０は、データの欠損部分を代替データで補完する処理を行う。代替データフォーマット記録テーブル１８１は、代替データのフォーマットを時間情報と対にして記録するテーブルである。なお、“音声データのみ”、“映像データ及び音声データ”、“映像データ、音声データ及びデータ放送”、“放送データ”の各代替データは独自のフォーマットになるので、それぞれのフォーマットを時間情報と対にして記録する。代替データ情報記録部１８２は、代替データフォーマット記録テーブル１８１に代替データのフォーマットを時間情報と対にして記録する。上記録画データ再生処理部１９（図１参照）は、代替データフォーマット記録テーブル１８１の記録内容に従って再生方式を切り替えて代替データの再生を行う。
【００３７】
なお、放送アンテナ１０、チューナ部１１及び多重化分離部１２は受信手段を構成する。また、録画処理部２０及び録画記憶装置２１は記録手段を構成する。録画データ再生処理部１９は再生手段に対応する。また、欠損データ監視部１７６は監視手段に対応する。また、代替データ情報取得部１７２は代替データ情報取得手段に対応する。また、代替データ取得部１７９は取得手段に対応する。また、タイムシフト再生追いつき時間予測部１７７は予測手段に対応する。また、代替データフォーマット記録テーブル１８１はフォーマット記憶手段に対応する。
【００３８】
次に、図３は、上述した携帯端末１が代替データを取得する元である録画再生装置３０及びコンテンツサーバ５０のそれぞれの概略構成を示すブロック図である。携帯端末１は、録画再生装置３０及びコンテンツサーバ５０の少なくとも１つから代替データを取得する。図３において、録画再生装置３０は、例えば家庭にあるＤＶＤレコーダのような機器であり、放送アンテナ３１、チューナ部３２、多重化分離部３３、入力装置３４、通信処理部３５、タイマ部３６、録画記憶装置３７、録画処理部３８及び制御部３９を有する。
【００３９】
チューナ部３２は、放送アンテナ３１を介して受信したチャンネルの信号を中間周波信号（ＩＦ信号）に変換し、更にＩＦ信号からデジタル信号（ＴＳ）を取り出して出力する。多重化分離部３３は、チューナ部３２から出力されたＴＳから必要なデータを抜き出す。入力装置３４は、操作キーなどの装置を操作するための情報を入力する。通信処理部３５は、モデム等の有線でインターネット等のネットワーク網６０に接続する通信機器を有し、ネットワーク網６０に接続された機器との間で双方向通信を行う。本実施の形態では、ネットワーク網６０を介して携帯端末１と双方向通信を行う。なお、モデム等の有線でネットワーク網６０に接続する通信機器の他に、赤外線やブルートゥース等を用いても良く、これらを用いる場合、通信処理部３５は無線機能を有する。
【００４０】
タイマ部３６は、時間の管理に使用されるものであり、制御部３９に時間情報を入力する。録画記憶装置３７は、放送データ記憶部３７Ａと代替データ記憶部３７Ｂを有し、放送データ記憶部３７Ａはチューナ部３２で受信された放送データを記憶し、代替データ記憶部３７Ｂは複数種類の代替データを記憶する。代替データ記憶部３７Ｂに記憶される代替データは、放送データ記憶部３７Ａに記憶される放送データと１対１で対応している。但し、“音声データのみ”、“映像データ及び音声データ”、“映像データ、音声データ及びデータ放送”、“放送データ”の各データでフォーマットが異なる。
【００４１】
録画処理部３８は、代替データを録画するためにデータ量（通信量）が下がるようにデータを圧縮したり、フォーマットを変えたりする。制御部３９は、主にマイクロコンピュータで構成され、装置各部を制御する。
【００４２】
コンテンツサーバ５０は、放送局又はプロバイダが有するものであり、通信処理部５１、録画記憶装置５２及び制御部５３を有する。通信処理部５１は、モデム等の有線でインターネット等のネットワーク網６０に接続する通信機器を有し、ネットワーク網６０に接続された機器との間で双方向通信を行う。本実施の形態では、ネットワーク網６０を介して携帯端末１と双方向通信を行う。なお、モデム等の有線でネットワーク網６０に接続する通信機器の他に、赤外線やブルートゥース等を用いても良く、これらを用いる場合、通信処理部５１は無線機能を有する。
【００４３】
録画記憶装置５２は、放送データ記憶部５２Ａと代替データ記憶部５２Ｂを有し、放送データ記憶部５２Ａは放送データを記憶し、代替データ記憶部５２Ｂは複数種類の代替データを記憶する。代替データ記憶部５２Ｂに記憶される代替データは、放送データ記憶部５２Ａに記憶される放送データと１対１で対応している。但し、“音声データのみ”、“映像データ及び音声データ”、“映像データ、音声データ及びデータ放送”、“放送データ”の各データでフォーマットが異なる。
【００４４】
次に、上記携帯端末１の動作を説明する。まず図４を参照して追いつき時間予測について説明する。同図において、各時刻は以下の通りである。
ｔｒ：現在の録画位置（時刻）
ｔｐ：現在の再生位置（時刻）
ｔｒｓ：録画開始位置（時刻）
ｔｄ：ｔｐに最も近い欠損データの位置
【００４５】
（ａ）、（ｂ）に示すように、録画開始からｔｒが経過して行く。そして、（ｃ）に示すように、所定時間後から追いかけ再生を開始する。このときｔｄで示す位置に最初の欠損が発生したとすると、（ｄ）に示すように、追いかけ再生することで現在の再生位置ｔｐが欠損の発生した位置ｔｄに近づいて行く。このとき追いつき予想時間は、
（ｔｄ−ｔｐ）／再生速度 …（１）
で求めることができる。
また、欠損データ量は、
（ｔｄ〜ｔｒまでの欠損時間）×放送波のデータレート …（２）
で求めることができる。
【００４６】
次に、図５に示すフローチャートを参照して携帯端末１の欠損データ取得部１７と制御部２６の動作を説明する。同図において、動作を開始すると、まず欠損データ取得終了要求が有るかどうか欠損データ取得部１７が判定する（ステップＳＴ１０）。この欠損データ取得終了要求は制御部２６から与えられる。欠損データ取得終了要求が制御部２６から与えられると、欠損データ取得部１７は動作を終了する。欠損データ取得終了要求が与えられない場合は、欠損データ取得部１７は、データ欠損が有るかどうか判定し（ステップＳＴ１１）、データ欠損が無い場合は代替データが有るかどうか判定する（ステップＳＴ１２）。データ欠損が有る場合は、制御部２６がタイムシフト再生中かどうか判定する（ステップＳＴ１３）。
【００４７】
ステップＳＴ１２において、代替データが無い場合はステップＳＴ１０に戻り、代替データが有る場合は欠損データ取得部１７が放送データを取得する（ステップＳＴ１４）。なお、欠損データが有るかどうかの判定は例えば１秒〜２秒周期で行われる。放送データを取得した後、欠損データ取得部１７はデータ代替処理を行い（ステップＳＴ１５）、次いで、取得箇所、フォーマットを記録する（ステップＳＴ１６）。ステップＳＴ１５及びステップＳＴ１６はデータ欠損が無い場合（すなわちステップＳＴ１１、ステップＳＴ１２、ステップＳＴ１４の経路で進む場合）は行う必要が無いので何もせず通過するのみである。ステップＳＴ１６の処理を通過した後、ステップＳＴ１０に戻る。
【００４８】
また、データ欠損が有る場合（ステップＳＴ１１の判定で「Ｙｅｓ」の場合）で、タイムシフト再生中で無い場合（ステップＳＴ１３の判定で「Ｎｏ」の場合）は、欠損データ取得部１７はステップＳＴ１７で放送データの取得を行い、ステップＳＴ１５のデータ代替処理及びステップＳＴ１６の取得箇所、フォーマットの記録処理を行う。
【００４９】
一方、タイムシフト再生中である場合（ステップＳＴ１３の判定で「Ｙｅｓ」の場合）、欠損データ取得部１７はタイムシフト時データ取得処理を行う（ステップＳＴ１８）。すなわち、代替データの取得を行う。このタイムシフト時データ取得処理の詳細は後述する。代替データを取得した後、欠損データ取得部１７はステップＳＴ１５でデータ代替処理を行う。そして、ステップＳＴ１６で取得箇所とフォーマットを記録する。すなわち、欠損データ補完処理のために時間情報とフォーマットをテーブル化する。
【００５０】
（タイムシフト時データ取得処理）
図６は、タイムシフト時データ取得処理を示すフローチャートである。同図において、まず取得代替データ種別判別部１７８が代替データの種別を取得する（ステップＳＴ１８１）。代替データの種別は、“音声のみ”、“映像及び音声”、“映像、音声及びデータ放送”、“放送データ”である。代替データの種別を取得した後、代替データ情報取得部１７２〜音声レート検知部１７５がレート検出処理を行う（ステップＳＴ１８２）。
【００５１】
レート検出処理を行った後、タイムシフト再生追いつき時間予測部１７７が追いつき時間を予測する（ステップＳＴ１８３）。追いつき予想時間は前述した（１）式に従って求める。追いつき時間予測処理を行った後、通信レート検知部１７１が現在の通信レートを取得する（ステップＳＴ１８４）。次いで、取得代替データ種別判別部１７８がダウンロード可能データ量の計算を行う（ステップＳＴ１８５）。ダウンロード可能データ量は、ステップＳＴ１８３の処理で取得した追いつき時間予測値とステップＳＴ１８４の処理で取得した通信レートから求める。例えば、追いつき予測時間が１０秒であったときに、現在の通信レートからどれ位の量のデータをダウンロードできるか計算する。
【００５２】
ダウンロード可能データ量を求めた後、代替データを放送データで取得可能かどうか判定する（ステップＳＴ１８６）。この判定は、取得代替データ種別判断部１７８が行う。放送データで取得可能であれば、代替データ取得部１７９が録画再生装置３０又はコンテンツサーバ５０から放送データを取得する（ステップＳＴ１８７）。これに対して、放送データで取得不可能であれば、映像と音声とデータ放送の取得が可能か否かを判定する（ステップＳＴ１８８）。この判定も、取得代替データ種別判断部１７８が行う。
【００５３】
映像と音声とデータ放送の取得が可能であれば、代替データ取得部１７９が録画再生装置３０又はコンテンツサーバ５０から映像と音声とデータ放送を取得する（ステップＳＴ１８９）。これに対して、映像と音声とデータ放送の取得が不可能であれば、映像と音声の取得が可能か否かを判定する（ステップＳＴ１９０）。この判定も、取得代替データ種別判断部１７８が行う。映像と音声の取得が可能であれば、代替データ取得部１７９が録画再生装置３０又はコンテンツサーバ５０から映像と音声を取得し（ステップＳＴ１９１）、映像と音声の取得が不可能であれば音声のみ取得する（ステップＳＴ１９２）。ステップＳＴ１８７、ステップＳＴ１８９、ステップＳＴ１９１又はステップＳＴ１９２の処理を行った後、タイムシフト時データ取得処理を終了する。
【００５４】
（レート検出処理）
図７は、レート検出処理を示すフローチャートである。同図において、放送レート検出処理（ステップＳＴ１８２１）、映像レート検出処理（ステップＳＴ１８２２）、音声レート検出処理（ステップＳＴ１８２３）、代替データレート検出処理（ステップＳＴ１８２４）を順次行う。放送レート検出処理は放送レート検知部１７３で行われ、映像レート検出処理は映像レート検知部１７４で行われ、音声レート検出処理は音声レート検知部１７５で行われ、代替データレート検出処理は代替データ情報取得部１７２で行われる。
【００５５】
（タイムシフト再生処理）
図８は、録画データ再生処理部１９のタイムシフト再生処理を示すフローチャートである。同図において、まず代替データフォーマット記録テーブル（図２に示す代替データフォーマット記録テーブル１８１）からデータフォーマットと時間が対になった情報を制御部２６が取得する（ステップＳＴ２０）。次いで、制御部２６は代替データフォーマット記録テーブルから取得した情報から再生フォーマット変化点が有るか否かを判定する（ステップＳＴ２１）。すなわち、フォーマットが変化している点が有るかどうか判定する。例えば、“放送データ”から“映像と音声とデータ放送”に変化している点が有るかどうか判定する。
【００５６】
再生フォーマット変化点が有る場合、録画データ再生処理部１９は再生方式を切替える（ステップＳＴ２２）。そして、録画データ再生処理部１９は切替えた再生方式で再生を開始する（ステップＳＴ２３）。再生を開始した後、ユーザ操作による再生終了要求が有るか否かを制御部２６が判定し（ステップＳＴ２４）、再生終了要求が無ければステップＳＴ２０に戻り、再生要求が有れば録画データ再生処理部１９は再生を停止し（ステップＳＴ２５）、本処理を終える。一方、ステップＳＴ２１の判定において、再生フォーマット変化点が無い場合は、ステップＳＴ２２及びステップＳＴ２３をスキップしてステップＳＴ２４に移行する。
【００５７】
このように本実施の形態の携帯端末１によれば、欠損データ監視部１７６が、放送データの何処が欠損したかを監視し、放送データが欠損した位置を検知した場合に、タイムシフト再生追いつき時間予測部１７７が、当該欠損位置を再生するまでにあと何秒で追いつくかを予測し、取得代替データ種別判断部１７８が、タイムシフト再生追いつき時間予測部１７７が予測した時間と、通信レート検知部１７１が検知した現在の通信レートと、代替データ情報取得部１７２が取得した代替データのフォーマット及びデータ量等と、放送レート検知部１７３が検知した現在録画しているデータの放送レートと、映像レート検知部１７４が検知した現在再生している映像レートと、音声レート検知部１７５が検知した現在再生している音声レートとを基に、“音声のみ”、“映像と音声”、“映像と音声とデータ放送”、“放送データ”の種別を判断し、代替データ取得部１７９が、取得代替データ種別判断部１７８が判断した種別に基づいて代替データを取得し、代替データマージ部１８０が、代替データ取得部１７９で取得された代替データで欠損位置を補完する。したがって、タイムシフト再生中にデータ欠損が生じて録画できなかった部分に対応する代替データを、欠損した位置を再生するまでに取得して補完することができる。
【産業上の利用可能性】
【００５８】
本発明は、タイムシフト再生中にデータ欠損が生じて録画できなかった部分に対応する代替データを、欠損した位置を再生するまでに取得することができるといった効果を有し、ワンセグ放送を受信して記録再生可能な携帯端末等の放送受信装置への適用が可能である。
【図面の簡単な説明】
【００５９】
【図１】本発明の一実施の形態に係る携帯端末の概略構成を示すブロック図
【図２】図１の携帯端末の欠損データ取得部の概略構成を示すブロック図
【図３】図１の携帯端末の代替データ取得元である録画再生装置及びコンテンツサーバのそれぞれの概略構成を示すブロック図
【図４】図１の携帯端末の追いつき時間予測を説明するための図
【図５】図１の携帯端末の欠損データ取得部の動作を説明するためのフローチャート
【図６】図１の携帯端末の欠損データ取得部の動作を説明するためのフローチャート
【図７】図１の携帯端末の欠損データ取得部の動作を説明するためのフローチャート
【図８】図１の携帯端末の録画データ再生処理部の動作を説明するためのフローチャート
【符号の説明】
【００６０】
１  携帯端末
１０、３１  放送アンテナ
１１、３２  チューナ部
１２、３３  多重化分離部
１３、３４  入力装置
１４、３５、５１  通信処理部
１５  通信アンテナ
１６、３６  タイマ部
１７  欠損データ取得部
１８  欠損データ記録メモリ
１９  録画データ再生処理部
２０、３８  録画処理部
２１、３７、５２  録画記憶装置
２２  映像処理部
２３  ディスプレイ
２４  音声処理部
２５  スピーカ
２６、３９、５３  制御部
３０  録画再生装置
３７Ａ、５２Ａ  放送データ記憶部
３７Ｂ、５２Ｂ  代替データ記憶部
５０  コンテンツサーバ
１７１  通信レート検知部
１７２  代替データ情報取得部
１７３  放送レート検知部
１７４  映像レート検知部
１７５  音声レート検知部
１７６  欠損データ監視部
１７７  タイムシフト再生追いつき時間予測部
１７８  取得代替データ種別判断部
１７９  代替データ取得部
１８０  代替データマージ部
１８１  代替データフォーマット記録テーブル
１８２  代替データ情報記録部
【図１】
2009232315.tif 000003
【図２】
2009232315.tif 000004
【図３】
2009232315.tif 000005
【図４】
2009232315.tif 000006
【図５】
2009232315.tif 000007
【図６】
2009232315.tif 000008
【図７】
2009232315.tif 000009
【図８】
2009232315.tif 000010